(57)【要約】      （修正有）【課題】設置しやすく、優れた効率を有するトランスを提供する。【解決手段】ケース１０とフレーム２０を有するトランスであって、ケース１０は、断面がコ字形である楕円形の構造を有し、中央に楕円形の中心部１１が設けられると共に、外側に二つのカバー１２が設けられ、該カバー１２と中心部との間にコイル収容部１３が形成され、カバー１２との間に開口を有する凹部１４が形成され、フレーム２０は、中空な楕円形柱であり、中央に楕円形の貫通孔２１が形成されると共に、上側と下側に突出部が設けられ、突出部同士の間にコイル部２３が設けられ、底面の両側に夫々電気接続部２４が設けられ、該電気接続部２４にベース２４１が設けられ、中央に貫通状のスリット２４２が形成され、各スリットの上側に湾曲部が形成され、ケース１０の中心部がフレーム２０の貫通孔２１に貫入すると共に、電気接続部２４がケース１０の開口１５から露出する。【選択図】図１
0003149414.tif 000002
【実用新案登録請求の範囲】
【請求項１】
ケースとフレームを有するトランスであって、
前記ケースは、断面がコ字形である楕円形の構造を有し、中央に楕円形の中心部が設けられると共に、外側に二つのカバーが設けられ、該カバーと中心部との間にコイル収容部が形成され、カバーとの間に開口を有する凹部が形成され、前記フレームは、中空な楕円形柱であり、中央に楕円形の貫通孔が形成されると共に、上側と下側に突出部が設けられ、突出部同士の間にコイル部が設けられ、底面の両側に夫々電気接続部が設けられ、該電気接続部にベースが設けられ、中央に貫通状のスリットが形成され、各スリットの上側に湾曲部が形成され、
前記ケースの中心部がフレームの貫通孔に貫入すると共に、電気接続部がケースの開口から露出することを特徴とするトランス。
【請求項２】
前記電気接続部のベースに異なる数量を有する端子が設けられることを特徴とする、請求項１に記載のトランス。
【考案の詳細な説明】
【技術分野】
【０００１】
本考案は、特に楕円形の中心部とケースを有すると共に、底部の両端にベースが設けられるトランスに関するものである。
【背景技術】
【０００２】
電圧は、地域や電気製品の用途によって異なる規格を有し、現在では、全ての電気製品又は充電器の内部にトランスが設けられていることにより、異なる電圧を調整することができる。
【０００３】
図５及び図６に示すように、従来のトランスは、ケース（３０）とフレーム（４０）を有し、該ケース（３０）の中央に外側にカバー（３２）を有する中心部（３１）が設けられ、該フレーム（４０）は、中空の円柱であり、中央に円形の貫通孔（３１）が形成され、上側と下側に突出部（４２）が設けられ、該突出部（４２）との間にコイル部（４３）が設けられ、貫通孔（３１）の底部両側に夫々電気接続部（４４）が設けられる。
【０００４】
前記電気接続部（４４）の底部に所定の数量を有する端子（４４０）が設けられると共に、中央に貫通状のスリット（４４１）が形成される。
【０００５】
前記フレーム（４０）における貫通孔（４１）は、ケース（３０）の中心部（３１）を貫通することにより、ケース（３０）とフレーム（４０）を結合し、該コイル部（４３）には電線が巻き回される。尚、前記トランスは、現在よく使用されるものであるので、特に特許文献又は非特許文献に記載されていない。
【考案の概要】
【考案が解決しようとする課題】
【０００６】
しかしながら、前記トランスを使用する場合、コイル部（４３）に巻きまわす電線は、熱を発生し、中心部（３１）でもエネルギー転換の過程中、熱を発生することがあり、更に、従来のトランスの規格により、中心部（３１）の体積が大きくしてエネルギーの転換効率を向上することを難しく、又、フレーム（４０）におけるスリット（４４１）に直角部（４４２）を有するため、コイルを突出して効率を降下する恐れがあり、更に、電気接続部（４４）の底部に設けられる端子の数量が等しいため、回路板にトランスを設置する際、設置ミスを発生し易い問題がある。
【０００７】
そこで、出願されたのが本考案であって、設置しやすく、優れた効率を有するトランスを提供することを目的としている。
【課題を解決するための手段】
【０００８】
本願の請求項１の考案は、ケースとフレームを有するトランスであって、前記ケースは、断面がコ字形である楕円形の構造を有し、中央に楕円形の中心部が設けられると共に、外側に二つのカバーが設けられ、該カバーと中心部との間にコイル収容部が形成され、カバーとの間に開口を有する凹部が形成され、前記フレームは、中空な楕円形柱であり、中央に楕円形の貫通孔が形成されると共に、上側と下側に突出部が設けられ、突出部同士の間にコイル部が設けられ、底面の両側に夫々電気接続部が設けられ、該電気接続部にベースが設けられ、中央に貫通状のスリットが形成され、各スリットの上側に湾曲部が形成され、前記ケースの中心部がフレームの貫通孔に貫入すると共に、電気接続部がケースの開口から露出することを特徴とするトランス、を提供する。
【０００９】
本願の請求項２の考案は、前記電気接続部のベースに異なる数量を有する端子が設けられることを特徴とする請求項１に記載のトランス、を提供する。
【考案の効果】
【００１０】
本考案は上記の課題を解決するものであり、楕円形のケースと中心部を有することにより、従来と比べてより優れたエネルギー転換効果を達成でき、更に、フレームにおけるスリットの上側に湾曲部が設けられることにより、コイルが突出する問題を防止でき、又、ベースに異なる数量を有する端子が設けられることにより、設置ミスを防止することができる。
【図面の簡単な説明】
【００１１】
【図１】本考案に係るトランスの斜視図である。
【図２】本考案に係るトランスの分解斜視図である。
【図３】本考案に係るトランスの底面図である。
【図４】本考案に係るトランスの部分断面図である。
【図５】従来のトランスを示す斜視図である。
【図６】従来のトランスを示す底面図である。
【考案を実施するための形態】
【００１２】
以下、添付図面を参照して本考案の好適な実施の形態を詳細に説明する。
【００１３】
図１は本考案に係るトランスの斜視図であり、図２は本考案に係るトランスの分解斜視図であり、図３は本考案に係るトランスの底面図であり、図４は本考案に係るトランスの部分断面図である。
【００１４】
図１及び図２に示すように、本考案に係るトランスは、ケース（１０）とフレーム（２０）を有する。
前記ケース（１０）は、断面がコ字形である楕円形の構造を有し、中央に楕円形の中心部（１１）が設けられると共に、外側に二つのカバー（１２）が設けられ、該カバー（１２）と中心部（１１）との間にコイル収容部（１３）が形成され、カバー（１２）との間に開口（１５）を有する凹部（１４）が形成される。
【００１５】
前記フレーム（２０）は、中空な楕円形柱であり、中央に楕円形の貫通孔（２１）が形成されると共に、上側と下側に突出部（２２）が設けられ、突出部（２２）同士の間に電線を巻きまわすコイル部（２３）が設けられ、底面の両側に夫々電気接続部（２４）が設けられる。
【００１６】
前記電気接続部（２４）にベース（２４１）が設けられ、各ベース（２４１）に異なる数量を有する端子（２４０）が設けられ、該電気接続部（２４）の中央に貫通状のスリット（２４２）が形成され、各スリット（２４２）の上側に湾曲部（２４３）が形成される。
【００１７】
図４に示すように、前記コイル部（２３）に巻きまわす電線の一端が電気接続部（２４）における端子（２４０）と接続された後、湾曲部（２４３）に沿ってコイル部（２３）に巻きまわし、スリット（２４２）を通じて他の電気接続部（２４）における湾部に沿って他の端子（２４０）と電気接続される。
【００１８】
又、図２及び図３に示すように、前記ケース（１０）は、夫々フレーム（２０）の上側と下側に設けられ、その中心部（１１）がフレーム（２０）の貫通孔（２１）を通じて互いに結合され、前記電気接続部（２４）がケース（１０）における開口（１５）から露出すると共に、ケース（１０）のカバー（１２）がコイル部（２３）の外側に位置される。
【００１９】
本考案は前記の構造を有するので、楕円形のケースと中心部を有することにより、従来と比べてより優れたエネルギー転換効果を達成でき、更に、フレームにおけるスリットの上側に湾曲部が設けられることにより、コイルが突出する問題を防止でき、又、ベースに異なる数量を有する端子が設けられることにより、設置ミスを防止することができる。
【符号の説明】
【００２０】
１０        ケース
１１        中心部
１２        カバー
１３        コイル収容部
１４        凹部
１５        開口
２０        フレーム
２１        貫通孔
２２        突出部
２３        コイル部
２４        電気接続部
２４０      端子
２４１      ベース
２４２      スリット
２４３      湾曲部
３０        ケース
３１        中心部
３２        カバー
４０        フレーム
４１        貫通孔
４２        突出部
４３        コイル部
４４        電気接続部
４４０      端子
４４１      スリット
４４２      直角部
【図１】
0003149414.tif 000003
【図２】
0003149414.tif 000004
【図３】
0003149414.tif 000005
【図４】
0003149414.tif 000006
【図５】
0003149414.tif 000007
【図６】
0003149414.tif 000008